(57)【要約】【課題】一部分のみ形状が異なる複数種類のメモリカードを簡単な構成で識別する。【解決手段】識別手段は、凹所を有しないカード体１００がソケット本体３に保持されているときにカード体１００の突部１０１に当接して変形し、凹所を有するカード体１００がソケット本体３に保持されているときには変形しない弾性片１１と、変形していない弾性片１１と絶縁され、変形した弾性片１１と接触導通する接触片１２とからなるスイッチ機構を有している。故に、カード体１００に凹所を有するメモリカード（高速型ＳＤメモリカードＭＣ２）とカード体１００に凹所を有しないメモリカード（従来のＳＤメモリカードＭＣ１）の何れがソケット本体３に保持されているかをスイッチ機構のオン・オフ状態から識別することができる。【選択図】        図１
2010020482.tif 000002
【特許請求の範囲】
【請求項１】
書換可能な不揮発性の記憶素子を収納した矩形板状のカード体並びに当該カード体の先端部一面側に複数のコンタクトパッドが並設されてなるメモリカードが挿抜自在に装着されるメモリカードソケットであって、
メモリカードが挿入されるカード挿入口が一面に開口し、カード挿入口より挿入されたメモリカードを保持するソケット本体と、ソケット本体に保持されたメモリカードの各コンタクトパッドと接触導通する複数のコンタクトと、ソケット本体への挿入向きにおけるカード体の先端側に凹所が設けられたメモリカードとカード体に凹所が設けられていないメモリカードとを識別する識別手段とを備え、
識別手段は、凹所の有無によってカード体に対する相対的な位置が変化する機構を有することを特徴とするメモリカードソケット。
【請求項２】
コンタクトを保持する保持体がソケット本体に設けられ、識別手段の前記機構が保持体に設けられたことを特徴とする請求項１記載のメモリカードソケット。
【請求項３】
識別手段の前記機構は、導電性を有する弾性部材からなり、凹所を有しないカード体がソケット本体に保持されているときに当該カード体の凹所に対応する位置に設けられている突部に当接して変形し、凹所を有するカード体がソケット本体に保持されているときには変形しない弾性片と、変形していない弾性片と絶縁され、変形した弾性片と接触導通する接触片とを有することを特徴とする請求項２記載のメモリカードソケット。
【請求項４】
ソケット本体内にメモリカードの挿入方向に沿った前後方向で移動自在に配置され、カード挿入口から挿入されたメモリカードの先端側と衝合し、メモリカードからの押力を受けてメモリカードとともに前方へ移動するスライダと、スライダを後方へ常時付勢する付勢ばねと、スライダの最前部位置への移動後のメモリカードの押力の解除時にスライダを所定位置でロックし、該ロック後にメモリカードへの押力が加わってスライダが前方移動するときにロックを解除するスライダロック手段とを備え、
識別手段の前記機構は、スライダにおけるカード体の凹所と対応する位置に設けられ、凹所を有するカード体がソケット本体に保持されているときはスライダに対して移動せず、凹所を有しないカード体がソケット本体に保持されているときにはカード体に押されてスライダに対して前方へ移動する移動体と、導電性を有する弾性部材からなり、移動体が移動したときに当該移動体に当接して変形し、移動体が移動しないときには変形しない弾性片と、変形していない弾性片と絶縁され、変形した弾性片と接触導通する接触片とを有することを特徴とする請求項１記載のメモリカードソケット。
【請求項５】
識別手段による識別結果に応じて一部のコンタクトの使用可否を切り換える切換手段を備えたことを特徴とする請求項１〜４の何れか１項に記載のメモリカードソケット。
【請求項６】
切換手段は、一部のコンタクトとメモリカードのコンタクトパッドとの接触と開離を識別手段による識別結果に応じて択一的に切り換えることを特徴とする請求項５記載のメモリカードソケット。
【請求項７】
切換手段は、一部のコンタクトの信号伝送経路を識別手段による識別結果に応じて開閉することを特徴とする請求項５記載のメモリカードソケット。
【請求項８】
請求項１〜４のメモリカードソケットを有する電気機器であって、コンタクトを通じてメモリカードとの間で信号伝送を行うことでデータを読み書きするメモリアクセス手段と、識別手段による識別結果に応じて一部のコンタクトの使用可否を切り換える切換手段を備えたことを特徴とする電気機器。
【請求項９】
切換手段は、一部のコンタクトとメモリカードのコンタクトパッドとの接触と開離を識別手段による識別結果に応じて択一的に切り換えることを特徴とする請求項８記載の電気機器。
【請求項１０】
切換手段は、一部のコンタクトとメモリアクセス手段との間の信号伝送経路を識別手段による識別結果に応じて開閉することを特徴とする請求項８記載の電気機器。
【発明の詳細な説明】
【技術分野】
【０００１】
本発明は、ＳＤメモリカード（登録商標）やマルチメディアカード（ＭＭＣ）などのメモリカードやＳＤメモリカードと同様の大きさおよび端子配列を有するＳＤＩＯカード（登録商標）を挿抜自在に接続するためのメモリカードソケット、並びにそのようなメモリカードソケットを搭載した電気機器に関するものである。
【背景技術】
【０００２】
従来、小型で大容量のメモリカードとしてＳＤメモリカードが提供されており、このようなＳＤメモリカードは、それを使用する電気機器（以下、ホスト機器と言う。）に搭載されたメモリカードソケットに装着されて使用される（例えば特許文献１参照）。
【０００３】
図１０（ａ）〜（ｃ）は従来のＳＤメモリカードＭＣ１を示し、矩形板状のカード体１００の内部にフラッシュメモリ等の不揮発性の記憶素子を収納してある。カード体１００の一面には長手方向における一側（カード挿入方向の前側部）に９個のコンタクトパッドＰ１〜Ｐ９が短幅方向に並べて配設されている。またカード体１００の長手方向に沿う両側縁には突部１０１が形成されるとともに、前側部の片方の角部に斜めに傾斜する切欠部１０２を形成してある。またカード体１００の挿入方向に沿った片側縁には、後述するメモリカードソケットの係合爪が係合する係合凹所１０３が形成されると共に、反対側の側縁にはライトプロテクトスイッチの摘み１０５がスライド移動自在に配置される凹部１０４を設けてある。尚、コンタクトパッドＰ１〜Ｐ８の間には絶縁のためのリブ１０６が形成されている。
【０００４】
ＳＤメモリカードＭＣ１は、動作モードを切り替えて使用することが可能であり、動作モードに応じて各コンタクトパッドＰ１〜Ｐ９の機能が切り替えられるようになっている。従来のＳＤメモリカードＭＣ１において、データの高速転送が可能なモードでは、４個のコンタクトパッドを介してデータ転送を行っており、１クロックサイクルで４ビットのデータ転送が可能となっている。
【０００５】
このようなＳＤメモリカードＭＣ１は、例えばデジタルカメラやデジタルビデオカメラのような映像記録機器（電気機器）の記憶媒体として使用されるのであるが、近年の映像記録機器の高精細度化に伴って、記憶媒体に記憶されるコンテンツが大容量化しており、大容量のデータをリアルタイムで記録したり、或いはコンピュータなどの外部機器に転送する場合に従来のＳＤメモリカードＭＣ１ではデータの転送速度が十分速いとはいえず、比較的長い時間がかかっていた。
【０００６】
そこで、データの転送速度を高速化した高速型ＳＤメモリカードＭＣ２が従来提供されている。図１１（ａ）〜（ｃ）は高速型ＳＤメモリカードＭＣ２の三面図であり、この高速型ＳＤメモリカードＭＣ２では、従来型のＳＤメモリカードＭＣ１と同じ位置にコンタクトパッドＰ１，Ｐ２，Ｐ４，Ｐ５，Ｐ７〜Ｐ９を設けてある。またコンタクトパッドＰ３，Ｐ６の前後方向寸法を短くして、前端位置を後側にずらし、コンタクトパッドＰ３の前方位置に２個のコンタクトパッドＰ１０，Ｐ１１を左右に並べて配置するとともに、コンタクトパッドＰ６の前方位置に２個のコンタクトパッドＰ１２，Ｐ１３を左右に並べて配置してある。
【０００７】
このような高速型ＳＤメモリカードＭＣ２の動作モードは、従来のＳＤメモリカードと同様の動作を行うＳＤモードと、より高速のデータ転送が可能な高速モードに切り替えが可能となっており、ＳＤモードと高速モードとで各コンタクトパッドＰ１〜Ｐ１３の機能が切り替えられるようになっている。
【０００８】
そして、高速モードでは、コンタクトパッドＰ１０，Ｐ１１が対をなして、１ビットの差動データ信号を送受信すると共に、コンタクトパッドＰ１２，Ｐ１３が対をなして、１ビットの差動データ信号を送受信する。すなわち、上述のＳＤモードでは、４個のコンタクトパッドを用いて４ビットのデータを送受信していたが、高速モードでは、コンタクトパッドＰ１０，Ｐ１１の対と、コンタクトパッドＰ１２，Ｐ１３の対とを用いて２ビットのデータを送受信している。ここで、高速モードの方がＳＤモードよりも１クロックサイクルで伝送可能なビット数は少ないが、差動データを送受信することで動作クロックの周波数を飛躍的に高く設定できるため、高速モードではＳＤモードに比べて高速なデータ伝送を実現することができる。
【０００９】
このように、高速型ＳＤメモリカードＭＣ２では、従来のＳＤメモリカードＭＣ１に比べて高速のデータ転送が可能になっているが、従来のＳＤメモリカードＭＣ１をブリッジメディアとして使用するホスト機器が既に数多く生産されている。これらのホスト機器は、従来のＳＤメモリカードに対応したメモリカードソケット（以下、従来型ソケットと言う。）を採用しているため、高速型ＳＤメモリカードＭＣ２には、従来型ソケットに装着して、データ転送が行えるようにすることが要求されている。
【００１０】
そこで、高速型ＳＤメモリカードＭＣ２は、カード体１００の前側角部に設けた切欠部１０７以外は従来のＳＤメモリカードＭＣ１と同様の外形形状及び寸法に形成されている。切欠部１０７は、従来のＳＤメモリカードＭＣ１と同じ位置でカード体１００の前面に接する第１切欠部１０８と、第１切欠部１０８に連続して設けられ、カード体１００の側面に接する第２切欠部１０９とで構成される。第２切欠部１０９は、第１切欠部１０８を距離ｄだけ後方に平行移動させて設けられ、第１切欠部１０８と第２切欠部１０９との間には段差（凹所）が設けてある。
【００１１】
このように、高速型ＳＤメモリカードＭＣ２では、カード体１００の前側の角部に深さの異なる第１切欠部１０８と第２切欠部１０９を設けてあり、メモリカードソケットにカード体１００を挿入した際に、従来型ソケットではカード体１００の第１切欠部１０８がメモリカードソケットのスライダと衝合するのに対して、高速型ＳＤメモリカードＭＣ２に対応したメモリカードソケット（以下、高速対応型ソケットと言う。）では、カード体１００の第２切欠部１０９がスライダと衝合することによって、メモリカードＭＣ２がより深い位置まで差し込まれることになる。すなわち、従来型ソケットにメモリカードを挿入した場合は、高速対応型ソケットにメモリカードを挿入した場合に比べて、ＳＤメモリカードＭＣ２の挿入位置が浅くなっており、両ソケットでソケット内部に配置されたコンタクトがＩ／Ｏ接触面に接触する位置を異ならせることができる。
【００１２】
したがって、従来型ソケットでは、コンタクトパッドＰ３，Ｐ６の前側位置に設けたコンタクトパッドＰ１０〜Ｐ１３にソケット内部に配置したコンタクトが接触することはなく、従来のＳＤメモリカードＭＣ１と同様に９個のコンタクトパッドＰ１〜Ｐ９のみをソケット側のコンタクトに接触させることができるようになり、従来型ソケットに対して互換性を持たせることができる。
【特許文献１】特開２００４−７１１７５号公報
【特許文献２】特開２００３−２４９２９０号公報
【発明の開示】
【発明が解決しようとする課題】
【００１３】
ところで、メモリカードソケットにはスライダを具備しない種類のものも存在し、このようにスライダを具備しない種類のメモリカードソケットでは、従来のＳＤメモリカードＭＣ１と高速型ＳＤメモリカードＭＣ２とで挿入位置を異ならせることができない。したがって、この種のメモリカードソケットでは２種類のメモリカードＭＣ１，ＭＣ２の挿入位置が同一となるが、高速型ＳＤメモリカードＭＣ２に設けられている高速モード用のコンタクトパッドＰ１０，Ｐ１１の対とコンタクトパッドＰ１２，Ｐ１３の対とに対応する４本のコンタクトが従来のＳＤメモリカードＭＣ１のコンタクトパッドＰ３，Ｐ６に接触した場合、ＳＤモードの信号伝送特性が変化して規定の転送速度に達しない虞がある。故に、従来のＳＤメモリカードＭＣ１が挿入された場合は、高速対応型ソケットに設けられている高速モード用のコンタクトと、高速モード用のコンタクトパッドＰ１０，Ｐ１１の対及びコンタクトパッドＰ１２，Ｐ１３の対とが電気的あるいは機械的に切り離されるような手段を講じなければならない。そして、そのような手段を講じる前提として、高速対応型ソケットに挿入されたメモリカードが従来のＳＤメモリカードＭＣ１であるのか、高速型ＳＤメモリカードＭＣ２であるのかを識別する必要がある。
【００１４】
本発明は上記事情に鑑みて為されたものであり、その目的は、一部分のみ形状が異なる複数種類のメモリカードを簡単な構成で識別することができるメモリカードソケット並びに電気機器を提供することにある。
【課題を解決するための手段】
【００１５】
請求項１の発明は、上記目的を達成するために、書換可能な不揮発性の記憶素子を収納した矩形板状のカード体並びに当該カード体の先端部一面側に複数のコンタクトパッドが並設されてなるメモリカードが挿抜自在に装着されるメモリカードソケットであって、メモリカードが挿入されるカード挿入口が一面に開口し、カード挿入口より挿入されたメモリカードを保持するソケット本体と、ソケット本体に保持されたメモリカードの各コンタクトパッドと接触導通する複数のコンタクトと、ソケット本体への挿入向きにおけるカード体の先端側に凹所が設けられたメモリカードとカード体に凹所が設けられていないメモリカードとを識別する識別手段とを備え、識別手段は、凹所の有無によってカード体に対する相対的な位置が変化する機構を有することを特徴とする。
【００１６】
請求項１の発明によれば、カード体に凹所を有するメモリカードとカード体に凹所を有しないメモリカードの何れがソケット本体に保持されているかを識別手段で識別することができる。その結果、一部分（凹所の有無）のみ形状が異なる複数種類のメモリカードを簡単な構成で識別することが可能なメモリカードソケットが提供できる。
【００１７】
請求項２の発明は、請求項１の発明において、コンタクトを保持する保持体がソケット本体に設けられ、識別手段の前記機構が保持体に設けられたことを特徴とする。
【００１８】
請求項２の発明によれば、識別手段の機構を保持体に設けることで組立性が向上する。
【００１９】
請求項３の発明は、請求項２の発明において、識別手段の前記機構は、導電性を有する弾性部材からなり、凹所を有しないカード体がソケット本体に保持されているときに当該カード体の凹所に対応する位置に設けられている突部に当接して変形し、凹所を有するカード体がソケット本体に保持されているときには変形しない弾性片と、変形していない弾性片と絶縁され、変形した弾性片と接触導通する接触片とを有することを特徴とする。
【００２０】
請求項３の発明によれば、弾性片と接触片の接触・非接触によってメモリカードの識別結果を表すことができる。その結果、メモリカードの識別結果を電気信号として外部に出力することが容易に実現できる。
【００２１】
請求項４の発明は、請求項１の発明において、ソケット本体内にメモリカードの挿入方向に沿った前後方向で移動自在に配置され、カード挿入口から挿入されたメモリカードの先端側と衝合し、メモリカードからの押力を受けてメモリカードとともに前方へ移動するスライダと、スライダを後方へ常時付勢する付勢ばねと、スライダの最前部位置への移動後のメモリカードの押力の解除時にスライダを所定位置でロックし、該ロック後にメモリカードへの押力が加わってスライダが前方移動するときにロックを解除するスライダロック手段とを備え、識別手段の前記機構は、スライダにおけるカード体の凹所と対応する位置に設けられ、凹所を有するカード体がソケット本体に保持されているときはスライダに対して移動せず、凹所を有しないカード体がソケット本体に保持されているときにはカード体に押されてスライダに対して前方へ移動する移動体と、導電性を有する弾性部材からなり、移動体が移動したときに当該移動体に当接して変形し、移動体が移動しないときには変形しない弾性片と、変形していない弾性片と絶縁され、変形した弾性片と接触導通する接触片とを有することを特徴とする。
【００２２】
請求項４の発明によれば、弾性片と接触片の接触・非接触によってメモリカードの識別結果を表すことができる。その結果、メモリカードの識別結果を電気信号として外部に出力することが容易に実現できる。
【００２３】
請求項５の発明は、請求項１〜４の何れか１項の発明において、識別手段による識別結果に応じて一部のコンタクトの使用可否を切り換える切換手段を備えたことを特徴とする。
【００２４】
請求項５の発明によれば、識別手段による識別結果に応じて、ソケット本体に保持されているメモリカードへのデータの読み書きに適さない一部のコンタクトが切換手段によって使用不可とされるため、メモリカードの種類に応じた適切なデータの読み書きを行うことができる。
【００２５】
請求項６の発明は、請求項５の発明において、切換手段は、一部のコンタクトとメモリカードのコンタクトパッドとの接触と開離を識別手段による識別結果に応じて択一的に切り換えることを特徴とする。
【００２６】
請求項７の発明は、請求項５の発明において、切換手段は、一部のコンタクトの信号伝送経路を識別手段による識別結果に応じて開閉することを特徴とする。
【００２７】
請求項８の発明は、上記目的を達成するために、請求項１〜４のメモリカードソケットを有する電気機器であって、コンタクトを通じてメモリカードとの間で信号伝送を行うことでデータを読み書きするメモリアクセス手段と、識別手段による識別結果に応じて一部のコンタクトの使用可否を切り換える切換手段を備えたことを特徴とする。
【００２８】
請求項８の発明によれば、メモリカードソケットの識別手段による識別結果に応じて、メモリカードソケットに装着されているメモリカードへのデータの読み書きに適さない一部のコンタクトが切換手段によって使用不可とされるため、メモリカードの種類に応じた適切なデータの読み書きを行うことができる。
【００２９】
請求項９の発明は、請求項８の発明において、切換手段は、一部のコンタクトとメモリカードのコンタクトパッドとの接触と開離を識別手段による識別結果に応じて択一的に切り換えることを特徴とする。
【００３０】
請求項１０の発明は、請求項８の発明において、切換手段は、一部のコンタクトとメモリアクセス手段との間の信号伝送経路を識別手段による識別結果に応じて開閉することを特徴とする。
【発明の効果】
【００３１】
本発明によれば、一部分のみ形状が異なる複数種類のメモリカードを簡単な構成で識別することが可能なメモリカードソケット並びに電気機器が提供できる。
【発明を実施するための最良の形態】
【００３２】
以下、従来技術で説明した従来型のＳＤメモリカードＭＣ１と高速型ＳＤメモリカードＭＣ２とを識別し、その識別結果に応じて両方のメモリカードに対応可能としたメモリカードソケットの実施形態について、図面を参照して詳細に説明する。
【００３３】
（実施形態１）
本実施形態のメモリカードソケットＡは、図４に示すようにベースシェル１及びカバーシェル２からなる扁平な矩形箱状のソケット本体３と、複数本のコンタクトＣ１〜Ｃ１３を保持するコンタクトブロック４とを主要な構成として備えている。尚、以下の説明では特に断りが無いかぎり、図４において前後、上下、左右の各方向を規定している。
【００３４】
ベースシェル１は、例えば厚さが極薄い矩形板状のステンレス金属板に打ち抜き加工且つ曲げ加工を施すことにより形成され、左右両側部を上側に折り曲げて側片１ｂを形成したものであり（但し、左側の側片は図示せず）、上側及び前後両側が開放されている。
【００３５】
ベースシェル１の前部および右側部には下側に突出する複数個の突出片１ｃが折り曲げ形成されており、これらの突出片１ｃをコンタクトブロック４の基体（保持体）６下面に開口した圧入溝（図示せず）に圧入することで、ベースシェル１の下面にコンタクトブロック４が圧入固定されるようになっている。尚、ベースシェル１の前端よりやや後方には、コンタクトブロック４に保持されるコンタクトＣ１〜Ｃ１３を逃がすための貫通孔７が複数形成されている。
【００３６】
またベースシェル１の後側縁の左端には、メモリカードＭＣ１，ＭＣ２の通過位置よりも外側位置から下側方向に突出し、さらにその先端側が前方に突出する側面視Ｌ字形の支持片８が折り曲げ形成されている。
【００３７】
カバーシェル２は、厚さが極薄い矩形板状のステンレス金属板に打ち抜き加工且つ曲げ加工を施すことにより形成され、カバーシェル２の前縁からは上方に突出する曲げ片（図示せず）が折り曲げ形成されている。またカバーシェル２には、曲げ片よりもやや後端寄りの位置に、上方に突出する複数個の突出片（図示せず）が切り起こしによって形成されている。而して、下面にコンタクトブロック４の基体６が固定されたベースシェル１の下側にカバーシェル２を載置して、カバーシェル２の突出片をコンタクトブロック４の基体６に設けた圧入溝（図示せず）に圧入するとともに、カバーシェル２の周縁部とベースシェル１との当接部位をレーザ溶接などの方法で溶接することにより、カバーシェル２がベースシェル１及びコンタクトブロック４に対して固定され、前面にカード挿入口３ａが開口する扁平な箱状のソケット本体３が構成される。
【００３８】
図２に示すように、コンタクトブロック４は上下方向における平面視形状が略コ字形に形成された樹脂成型品からなる基体６を備えている。この基体６は、ベースシェル１及びカバーシェル２の前側辺に沿って配置されて、ソケット本体３の前面を閉塞する側部６ａと、側部６ａの左右両側部から後方に突出しベースシェル１の側片１ｂに沿って配置される一対の側部６ｂ，６ｃとで構成されている。
【００３９】
さらに基体６の側部６ａには、高速型ＳＤメモリカードＭＣ２の前部裏面に並行形成された複数のコンタクトパッドＰ１〜Ｐ１３（Ｉ／Ｏ接触面）にそれぞれ個別に接触導通する１３本のコンタクトＣ１〜Ｃ１３が圧入或いは同時成形により一体に保持されている。各コンタクトＣ１〜Ｃ１３は、接触側のばね部を側部６ａの後面側（カード挿入口３ａ側）に突出させるとともに、半田付け端子１８を側部６ａの前面から上側に突出させている。
【００４０】
次に、本発明の要旨である識別手段について説明する。本実施形態における識別手段は、カード体１００に凹所が設けられている高速型ＳＤメモリカードＭＣ２がソケット本体３に保持（装着）されているときはオフとなり、カード体１００に凹所が設けられていない従来のＳＤメモリカードＭＣ１がソケット本体３に保持されているときにオンするスイッチ機構からなる。このスイッチ機構は、図１〜図３に示すように導電性を有する帯板状の弾性部材からなり、コンタクトＣ１〜Ｃ１３と同様にコンタクトブロック４の基体６の側部６ａに保持された弾性片１１と、同じく導電性を有する帯板状の弾性部材からなり、側部６ａに保持されて弾性片１１と接離自在に接触導通する接触片１２とで構成されている。
【００４１】
弾性片１１は、先端（後端）部分が上向き（図１では下向き）に湾曲する半円弧状に曲げ加工され、コンタクトＣ１〜Ｃ１３の半田付け端子１８と同じく側部６ａの前面から上側（図１では下側）に半田付け端子１１ｂが突出されている。尚、弾性片１１の半円弧状の先端部分を係合部１１ａと呼ぶ。この係合部１１ａは、高速型ＳＤメモリカードＭＣ２がソケット本体３に保持されている状態では、高速型ＳＤメモリカードＭＣ２のカード体１００に設けられている凹所（第１切欠部１０８と第２切欠部１０９との間に設けられた段差）の位置に在る（図１（ｂ）参照）。
【００４２】
接触片１２は、弾性片１１に対して外側（図２では左側）に位置しており、その先端（後端）部分には、上下方向において弾性片１１と重なる矩形平板状の接点板１２ａが側方へ突設され、コンタクトＣ１〜Ｃ１３の半田付け端子１８と同じく側部６ａの前面から上側（図１では下側）に半田付け端子１２ｂが突出されている。そして、上下方向において弾性片１１と対向する接点板１２ａの対向面（図１における下面）には弾性片１１に近付く向き（図１における下向き）に突出する接点１２ｃが形成されている。
【００４３】
次に、識別手段による２種類のメモリカードＭＣ１，ＭＣ２の識別動作について説明する。何れの種類のメモリカードＭＣ１，ＭＣ２も前後方向及び表裏方向を正規の方向に向けてカード挿入口３ａからソケット本体３内に挿入され、カード体１００の先端（前端）が側部６ａの後端面に当接する位置（正規の挿入位置）でソケット本体３に保持される。高速型ＳＤメモリカードＭＣ２がソケット本体３に保持されている場合、弾性片１１の係合部１１ａはカード体１００の凹所の位置に在るためにカード体１００と係合しない。したがって、図１（ｂ）に示すように弾性片１１と接触片１２の接点１２ｃとの間に一定の絶縁距離が保たれて接触しないため、スイッチ機構がオフ状態になる。
【００４４】
一方、従来のＳＤメモリカードＭＣ１のカード本体１００には凹所（第１切欠部１０８と第２切欠部１０９との間の段部）が存在せず、高速型ＳＤメモリカードＭＣ２における凹所の位置には、カード体１００の長手方向に沿って形成された突部１０１の先端部分が位置している（図１０参照）。したがって、従来のＳＤメモリカードＭＣ１がソケット本体３に保持されている場合、図１（ａ）に示すように係合部１１ａがカード体１００の突部１０１と係合することで弾性片１１が弾性変形し、弾性片１１と接触片１２の接点１２ｃとが接触導通するため、スイッチ機構がオン状態になる。
【００４５】
図５は、メモリカードソケットＡを搭載した電気機器Ｍの概略構成を示すブロック図である。この電気機器Ｍは、メモリカードソケットＡに装着されたメモリカードＭＣ１又はＭＣ２へのデータの読み書きを実行するマイクロコンピュータ（以下、「マイコン」と略す。）２００を備えている。このマイコン２００は、メモリカードソケットＡのコンタクトＣ１〜Ｃ１３のうちのコンタクトＣ１〜Ｃ９が図示しないプリント配線板に形成されている導電パターンからなる第１信号線Ｌｓ１を介して電気的に接続され、高速モードのみで使用される一部（残り）のコンタクトＣ１０〜Ｃ１３が同じくプリント配線板に形成されている導電パターンからなる第２信号線Ｌｓ２を介して電気的に接続されている。また、マイコン２００にはスイッチ機構を構成する弾性片１１と接触片１２とがプリント配線板に形成されている導電パターンからなる検出信号線Ｌｓ３を介して電気的に接続されている。さらに、第２信号線Ｌｓ２の途中に挿入されたスイッチ（リレーでもよい）ＳＷをスイッチング制御するための制御線（プリント配線板に形成された導電パターンからなる）Ｌｓ４がマイコン２００に電気的に接続されている。
【００４６】
而して、マイコン２００は検出信号線Ｌｓ３を介してメモリカードソケットＡの識別手段による識別結果（スイッチ機構のオン・オフ）を取り込み、スイッチ機構がオン、つまり、メモリカードソケットＡに装着されているメモリカードが従来のＳＤメモリカードＭＣ１であれば、制御線Ｌｓ４を介してスイッチＳＷをオフ制御することによってメモリカードソケットＡのコンタクトＣ１０〜Ｃ１３を第２信号線Ｌｓ２から電気的に切り離す。したがって、例え従来のＳＤメモリカードＭＣ１のコンタクトパッドＰ３，Ｐ６にコンタクトＣ１０〜Ｃ１３が接触していてもＳＤモードの信号伝送特性が殆ど変化しないので、ＳＤモードにおける規定の転送速度でマイコン２００がデータを読み書きすることができる。一方、スイッチ機構がオフ、つまり、メモリカードソケットＡに装着されているメモリカードが高速型ＳＤメモリカードＭＣ２であれば、マイコン２００が制御線Ｌｓ４を介してスイッチＳＷをオン制御することによってメモリカードソケットＡのコンタクトＣ１０〜Ｃ１３を第２信号線Ｌｓ２に電気的に接続する。したがって、高速型ＳＤメモリカードＭＣ２に対してマイコン２００が高速モードでデータを読み書きすることができる。
【００４７】
上述のように本実施形態によれば、カード体１００に凹所を有するメモリカード（高速型ＳＤメモリカードＭＣ２）とカード体１００に凹所を有しないメモリカード（従来のＳＤメモリカードＭＣ１）の何れがソケット本体３に保持されているかを識別手段で識別することができる。その結果、一部分（凹所の有無）のみ形状が異なる複数種類のメモリカード（従来のＳＤメモリカードＭＣ１と高速型ＳＤメモリカードＭＣ２）を簡単な構成で識別することが可能なメモリカードソケットＡが提供できる。また、本実施形態の識別手段は、凹所を有しないカード体１００がソケット本体３に保持されているときに当該カード体１００の凹所に対応する位置に設けられている突部１０１に当接して変形し、凹所を有するカード体１００がソケット本体３に保持されているときには変形しない弾性片１１と、変形していない弾性片１１と絶縁され、変形した弾性片１１と接触導通する接触片１２とからなるスイッチ機構を有しているので、弾性片１１と接触片１２の接触・非接触によってメモリカードＭＣ１，ＭＣ２の識別結果を表すことができ、その結果、メモリカードＭＣ１，ＭＣ２の識別結果を電気信号として外部（本実施形態では電気機器Ｍのマイコン２００）に出力することが容易に実現できる。さらに、本実施形態ではスイッチ機構の弾性片１１及び接触片１２がコンタクトＣ１〜Ｃ１３を保持する保持体（コンタクトブロック４の基体６）に設けられているので、コンタクトブロック４を同時にスイッチ機構を組み立てることができるために組立性が向上するものである。
【００４８】
また本実施形態のメモリカードソケットＡを搭載した電気機器Ｍでは、メモリカードソケットＡの識別手段による識別結果に応じて、切換手段たるマイコン２００が、メモリカードソケットＡに装着されているメモリカードＭＣ１へのデータの読み書きに適さない一部のコンタクトＣ１０〜Ｃ１３とメモリアクセス手段（マイコン２００）との間の信号伝送経路（第２信号線Ｌｓ２）を開成して使用不可とするので、メモリカードＭＣ１，ＭＣ２の種類に応じた適切なデータの読み書きを行うことができる。但し、本実施形態では切換手段たるマイコン２００がメモリカードソケットＡの一部のコンタクトＣ１０〜Ｃ１３を第２信号線Ｌｓ２から電気的に切り離すことで使用不可としているが、例えば、識別手段によって従来のＳＤメモリカードＭＣ１がメモリカードソケットＡに装着されていると識別された場合に、メモリカードソケットＡの一部のコンタクトＣ１０〜Ｃ１３をメモリカードＭＣ１のコンタクトパッドＰ１０〜Ｐ１３から機械的に切り離す構造を電気機器Ｍに設けても構わない。あるいは、一部のコンタクトＣ１〜Ｃ１３を電気的あるいは機械的に切り離す構成を電気機器Ｍではなく、メモリカードソケットＡに備えるようにしても構わない。
【００４９】
（実施形態２）
本実施形態のメモリカードソケットＡは、図６，図７に示すようにソケット本体３内にメモリカードＭＣ１，ＭＣ２の挿入方向に沿った前後方向で移動自在に配置され、カード挿入口３ａから挿入されたメモリカードＭＣ１，ＭＣ２の先端側と衝合し、メモリカードＭＣ１，ＭＣ２からの押力を受けてメモリカードＭＣ１，ＭＣ２とともに前方へ移動するスライダ５と、スライダ５を後方（カード挿入口３ａ側）へ常時付勢する付勢ばね（コイルばね）１７と、スライダ５の最前部位置への移動後のメモリカードＭＣ１，ＭＣ２の押力の解除時にスライダ５を所定位置（図６，図７に図示する位置）でロックし、該ロック後にメモリカードＭＣ１，ＭＣ２への押力が加わってスライダ５が前方移動するときにロックを解除するスライダロック手段とを備えた点が実施形態１と異なる。但し、スライダ５やコイルばね１７並びにスライダ５をロックするスライダロック手段については、特許文献１，２にも開示されているように周知技術であるから詳細な構成の図示並びに説明を省略する。
【００５０】
スライダ５は合成樹脂成形品からなり、メモリカードＭＣ１，ＭＣ２の左側縁に沿って前後方向に移動する短冊形の側部５ａと、側部５ａの先端部（前端部）から右側方に突出してカード体１００の切欠部１０２及び第１切欠部１０８に当接する側部５ｂとが一体に形成されている。而して、メモリカードソケットＡに従来型のＳＤメモリカードＭＣ１が挿入された場合はＳＤメモリカードＭＣ１の切欠部１０２が側部５ｂの傾斜面と衝合し、高速型ＳＤメモリカードＭＣ２が挿入された場合は高速型ＳＤメモリカードＭＣ２の第１切欠部１０８が側部５ｂの傾斜面と衝合することになり、メモリカードＭＣ１，ＭＣ２からの押力を受けてスライダ５が前方に移動することになる。尚、コンタクトＣ１〜Ｃ１３と対向する側部５ｂの一面（図６，図７における表面）には、スライダ５の移動時にコンタクトＣ１，Ｃ２並びに弾性片１１を逃げるために３つの溝５ｃが前後方向に凹設されている。
【００５１】
本実施形態においても実施形態１と同様に、高速型ＳＤメモリカードＭＣ２がソケット本体３に保持されている場合（スライダ５がスライダロック手段によってロックされている場合）、図６に示すように弾性片１１の係合部１１ａがカード体１００と係合しないから、弾性片１１と接触片１２の接点１２ｃとが接触しないためにスイッチ機構がオフ状態になる。一方、従来のＳＤメモリカードＭＣ１がソケット本体３に保持されている場合（スライダ５がスライダロック手段によってロックされている場合）、図７に示すように係合部１１ａがカード体１００の突部１０１と係合することで弾性片１１が弾性変形し、弾性片１１と接触片１２の接点１２ｃとが接触導通するためにスイッチ機構がオン状態になる。
【００５２】
このようにスライダ５等を備えた本実施形態のメモリカードソケットＡにおいても、カード体１００に凹所を有するメモリカード（高速型ＳＤメモリカードＭＣ２）とカード体１００に凹所を有しないメモリカード（従来のＳＤメモリカードＭＣ１）の何れがソケット本体３に保持されているかを識別手段で識別することができる。
【００５３】
（実施形態３）
本実施形態のメモリカードソケットＡの要部平面図を図８，図９に示す。但し、本実施形態のメモリカードソケットＡの基本構成は実施形態２と共通であるから、共通の構成要素には同一の符号を付して図示並びに説明を省略する。
【００５４】
本実施形態のメモリカードソケットＡは、スイッチ機構における弾性片１１の係合部１１ａと係合して弾性片１１を変形させる構造が実施形態２と異なっている。すなわち、スライダ５におけるカード体１００の凹所（第１切欠部１０８と第２切欠部１０９との間に設けられた段差）と対応する位置（側部５ｂの根元部分）に設けられ、凹所を有するカード体１００がソケット本体３に保持されているときはスライダ５に対して移動せず、凹所を有しないカード体１００がソケット本体３に保持されているときにはカード体１００に押されてスライダ５に対して前方へ移動する移動体５０を備えており、スライダ５に対して前方へ移動した移動体５０に弾性片１１の係合部１１ａが係合するようになっている。
【００５５】
移動体５０は、前後方向（図８，図９における上下方向。以下同じ。）に沿った左右両側縁がスライダ５の移動方向と平行であり、且つ前端縁及び後端縁がスライダ５の側部５ｂの前端縁及び後端縁と平行である菱形形状の合成樹脂成形品からなる。スライダ５の側部５ｂには移動体５０が前後方向に移動自在に嵌る溝５ｄが弾性片１１と対向する側の面（以下、「表面」と呼ぶ。）に凹設されている。但し、移動体５０の前後方向に沿った長さ寸法は側部５ｂの前後方向に沿った長さ寸法よりも大きくなっており、溝５ｄに嵌った状態では側部５ｂの前後方向における外側に移動体５０の一部が突出することになる。
【００５６】
また、側部５ｂ表面における溝５ｄの左右両側には板ばねからなる復帰ばね５１の両端が固定されている。そして、復帰ばね５１の中央部分が移動体５０の表面に固定されており、復帰ばね５１が撓んでいない状態では、移動体５０の後端部分が側部５ｂの後方へ突出している（図９参照）。
【００５７】
次に、識別手段による２種類のメモリカードＭＣ１，ＭＣ２の識別動作について説明する。スライダ５がロックされて高速型ＳＤメモリカードＭＣ２がソケット本体３に保持されている場合、図９に示すようにスライダ５の側部５ｂから後方へ突出している移動体５０がカード体１００の凹所（第１切欠部１０８と第２切欠部１０９との間に設けられた段差）に位置し、スライダ５の側部５ｂに対して移動体５０が移動しない。そして、移動体５０が移動しなければ、弾性片１１の係合部１１ａが移動体５０と係合しないので、弾性片１１と接触片１２の接点１２ｃとの間に一定の絶縁距離が保たれて接触しないため、スイッチ機構がオフ状態になる。
【００５８】
一方、スライダ５がロックされて従来のＳＤメモリカードＭＣ１がソケット本体３に保持されている場合、図８に示すようにスライダ５の側部５ｂから後方へ突出している移動体５０がカード体１００の切欠部１０２に当接し、復帰ばね５１のばね力に抗して移動体５０が前方へ移動し、スライダ５の側部５ｂから移動体５０の一部が前方へ突出することになる。そして、移動体５０が側部５ｂの前端から前方へ突出すれば、係合部１１ａが移動体５０と係合することで弾性片１１が弾性変形し、弾性片１１と接触片１２の接点１２ｃとが接触導通するためにスイッチ機構がオン状態になる。尚、従来のＳＤメモリカードＭＣ１がソケット本体３から引き抜かれれば、復帰ばね５１のばね力によって移動体５０が元の位置（側部５ｂの後方へ一部が突出する位置）に復帰する。
【００５９】
このように本実施形態のメモリカードソケットＡにおいても実施形態２と同様に、カード体１００に凹所を有するメモリカード（高速型ＳＤメモリカードＭＣ２）とカード体１００に凹所を有しないメモリカード（従来のＳＤメモリカードＭＣ１）の何れがソケット本体３に保持されているかを識別手段で識別することができる。尚、図示並びに説明は省略するが、実施形態２や実施形態３のメモリカードソケットＡを実施形態１の電気機器Ｍに搭載しても構わない。
【図面の簡単な説明】
【００６０】
【図１】本発明に係るメモリカードソケットの実施形態１を示し、（ａ）は従来のＳＤメモリカードを保持している状態の一部省略した断面図、（ｂ）は高速型ＳＤメモリカードを保持している状態の一部省略した断面図である。
【図２】同上の高速型ＳＤメモリカードを保持している状態の一部省略した平面図である。
【図３】同上の従来のＳＤメモリカードを保持している状態の一部省略した平面図である。
【図４】同上の外観斜視図である。
【図５】本発明に係る電気機器の実施形態を示すブロック図である。
【図６】本発明に係るメモリカードソケットの実施形態２を示し、高速型ＳＤメモリカードを保持している状態の一部省略した平面図である。
【図７】同上の従来のＳＤメモリカードを保持している状態の一部省略した平面図である。
【図８】本発明に係るメモリカードソケットの実施形態３を示し、高速型ＳＤメモリカードを保持している状態の一部省略した平面図である。
【図９】同上の従来のＳＤメモリカードを保持している状態の一部省略した平面図である。
【図１０】本実施形態に用いるＳＤメモリカードを示し、（ａ）は裏側から見た平面図、（ｂ）は左側面図、（ｃ）は右側面図である。
【図１１】本実施形態に用いる高速型ＳＤメモリカードを示し、（ａ）は裏側から見た平面図、（ｂ）は表側から見た平面図、（ｃ）はカード挿入方向から見た側面図である。
【符号の説明】
【００６１】
Ａ  メモリカードソケット
３  ソケット本体
３ａ  カード挿入口
６  基体（保持体）
６ａ  側部
１１  弾性片
１１ａ  係合部
１２  接触片
１０１  突部
１０２  切欠部
１０８  第１切欠部
１０９  第２切欠部
【図１】
2010020482.tif 000003
【図２】
2010020482.tif 000004
【図３】
2010020482.tif 000005
【図４】
2010020482.tif 000006
【図５】
2010020482.tif 000007
【図６】
2010020482.tif 000008
【図７】
2010020482.tif 000009
【図８】
2010020482.tif 000010
【図９】
2010020482.tif 000011
【図１０】
2010020482.tif 000012
【図１１】
2010020482.tif 000013